(57)【特許請求の範囲】
【請求項１】
農園芸用のビニールハウスの側面に、複数本のパイプユニットが連結されて形成されたパイプ本体が水平に設けられ、パイプ本体の一先端部に取付けられたハンドルを一定方向に回転させると、ビニールハウスに被覆されたフィルムがパイプ本体の外周に巻き付けられて、フィルムが巻き上げられるフィルム巻き上げパイプであって、
パイプユニットの一端部には楕円形に縮径された突部が形成されると共に、他端部には、前記突部に対応した楕円形の受け部が形成されて、一のパイプユニットの受け部に隣接する他のパイプユニットの突部を挿入することにより両パイプユニットは連結されるようになされ、かつ、前記突部及び受け部には密閉材が充填されて該突部及び受け部からパイプユニット内への雨水の浸入が防止されており、
さらに前記突部及び受け部に充填された密閉材は、前記突部及び受け部における楕円形でない部分と楕円形の部分とに跨って充填されて、楕円形でない部分と楕円形の部分との境において抜けが防止されていることを特徴とするフィルム巻き上げパイプ。
【請求項２】
パイプユニットは、樹脂製の被覆材で被覆されたものであって、
該パイプユニットの突部の楕円形の根本には、テーパー加工されたテーパー部が形成され、隣接する他のパイプユニットの受け部の先端に抗して突部がテーパー部まで挿入されて連結されるようになされ、
隣接するパイプユニットの受け部に挿入される前記突部及びテーパー部は、被覆材で被覆されていないことを特徴とする請求項１記載のフィルム巻き上げパイプ。
【請求項３】
密閉材は、発泡させた密閉材であって、その充填時又は充填後に発泡させるようにしたものであることを特徴とする請求項１又は２記載のフィルム巻き上げパイプ。
【請求項４】
密閉材は、氷点下でも弾性を有することを特徴とする請求項１〜３の何れかに記載のフィルム巻き上げパイプ。
【発明の詳細な説明】
【技術分野】
【０００１】
本発明は、農園芸用ビニールハウスの換気のために主として用いられる、ビニールハウスに被覆されたフィルムを巻き上げるためのフィルム巻き上げパイプに関するものである。
【背景技術】
【０００２】
一般に、ビニールハウス内の気温が上昇しすぎたとき等に、ビニールハウスに被覆されたフィルムの一部をパイプ本体に巻き付けて、フィルムを巻き上げ、外気をビニールハウス内に導入し、ビニールハウス内の温度を調整する工法が提案されている（例えば、特許文献１参照）。
【０００３】
この工法は、ビニールハウスの側面に、前記フィルムの端部が固定されたパイプ本体が設けられ、パイプ本体の先端部に取り付けられたハンドルを回転させて、パイプ本体の外周に巻き付けて、フィルムを巻き上げるものである。通常ビニールハウスの側壁面は数十〜百メートルに及ぶため、一般にパイプ本体は複数個のパイプユニットが連結されて形成され、ハンドルを回転させたとき連結されたパイプユニットが連動して回転するように、パイプユニットの端部は楕円形に加工され、これらが連結されたものである。
【特許文献１】実公平４−７７２５号公報
【０００４】
しかしながら、この工法は、パイプユニットを単に差し込んでいるだけであるため、雨水がフィルムを伝って連結部から内部に浸入することがあり、特に冬期、浸入した雨水の凍結膨張により、雨水が連結部付近に滞留していた時は連結部の緩みや外れが発生し、雨水がパイプユニット内部に滞留していた時はその付近でパイプユニットの膨れや破裂が発生する場合があるため、パイプユニット内の水抜き等のメンテナンスが必要であり、メンテナンス費用と作業性の点で問題になることがあった。又、長期間に亘りパイプユニットに雨水が滞留すると、その重みでパイプユニットが撓み、雨水が滞留しやすくなり、更に、撓みによりパイプ本体が湾曲し、フィルムを巻き上げにくくなる場合があった。
【０００５】
そこでこれらの問題を解決するために、パイプユニットの内部に発泡体を挿入する工法が提案されている（例えば、特許文献２参照。）。
【０００６】
この工法は、パイプユニットの内部に挿入された発泡体により、パイプユニット内部に浸入した雨水が冬期に凍結膨脹が発生しても、その膨脹分が発泡体により吸収され、パイプ連結部の緩みや外れ、パイプの膨れや破断が発生しにくくなるものである。
【特許文献２】特開２０００−９６５２２号公報
【発明の開示】
【発明が解決しようとする課題】
【０００７】
しかしながら、上記の如き工法には次のような問題点があった。すなわち、前記発泡体をパイプユニット内部に部分的にかつ単に挿入するだけなので施工は単純であるものの、発泡体とパイプ内壁との間に生じる隙間により雨水の浸入は完全には防止されないため、浸入した雨水により、発泡体の挿入位置によっては連結部の緩みや外れ、パイプの膨れや破断が発生する場合があった。又、寒冷条件では発泡体の材質によっては柔軟性が著しく低下し、雨水凍結時の体積膨脹分が吸収されなくなり、連結部の緩みや外れ、パイプユニットの膨れや破断が発生する場合があった。発泡体をパイプユニット全長に亘り挿入すれば、前記問題点は解消されるが、施工作業性とコストの点で問題があり、又発泡体とパイプ内壁との間に生じる隙間からの雨水の浸入は完全には防止できない。
【０００８】
本発明は、前記の如き問題点を解消し、パイプユニットの膨れや破断が発生しにくく、又、ビニールハウスに被覆されたフィルムを比較的容易に巻き上げることができるフィルム巻き上げパイプを提供せんとするものである。
【課題を解決するための手段】
【０００９】
上記目的を達成するために、本発明は次のような構成としている。
すなわちこの発明に係るフィルム巻き上げパイプは、農園芸用のビニールハウスの側面に、複数本のパイプユニットが連結されて形成されたパイプ本体が水平に設けられ、パイプ本体の一先端部に取付けられたハンドルを一定方向に回転させると、ビニールハウスに被覆されたフィルムがパイプ本体の外周に巻き付けられて、フィルムが巻き上げられるフィルム巻き上げパイプであって、
パイプユニットの一端部には楕円形に縮径された突部が形成されると共に、他端部には、前記突部に対応した楕円形の受け部が形成されて、一のパイプユニットの受け部に隣接する他のパイプユニットの突部を挿入することにより両パイプユニットは連結されるようになされ、かつ、前記突部及び受け部には密閉材が充填されて該突部及び受け部からパイプユニット内への雨水の浸入が防止されており、
さらに前記突部及び受け部に充填された密閉材は、前記突部及び受け部における楕円形でない部分と楕円形の部分とに跨って充填されて、楕円形でない部分と楕円形の部分との境において抜けが防止されていることを特徴とするものである。
【発明の効果】
【００１０】
本発明によれば、パイプユニットの連結端部が密閉され、パイプユニット内部には雨水が浸入しないため、特に冬期に、浸入した雨水の凍結膨脹によるパイプユニットの膨れや破損を防ぐことができる。更に、雨水がパイプユニット内部に浸入しないため、自重によるパイプユニットの撓みが発生しにくくなり、フィルムを巻き上げる時に、ハンドルを回す負荷を抑えることができる。
【００１１】
本発明において、パイプユニットの連結端部の密閉方法として、発泡させたり、若しくは氷点下でも弾性を有する密閉材を用いて連結端部を密閉すれば、寒冷条件でも柔軟性を失わないため、連結部内に雨水が浸入した場合、浸入した雨水が密閉材で遮られてその付近に滞留し、そして凍結膨脹が起きても、その膨脹体積分が密閉材に吸収されるため、連結部の緩みや外れなどの問題は発生しにくくなる。
【発明を実施するための最良の形態】
【００１２】
次に、本発明を実施するための最良の形態について図面を参照し、具体的に説明する。
【００１３】
すなわち、図１は本発明フィルム巻き上げパイプの実施の一形態を示す斜視図、図２はパイプユニットの連結形態を示す断面図、図３はパイプユニットの連結部の断面図、図４はパイプユニットの突部の拡大断面図、図５はパイプユニットの受け部の拡大断面図である。
【００１４】
図面において、パイプ本体１は、複数本のパイプユニット１１が連結されて形成され、農園芸用ビニールハウスＡの側面にほぼその全長にわたって水平に設けられ、一先端部にハンドル２が取付けられている。ハンドル２を一定方向に回転させつつハンドル２をパイプ本体１ごと上方に移動させると、ビニールハウスＡに被覆されたフィルム３がパイプ本体１の外周に巻き付けられ、フィルム３が巻き上げられ、ビニールハウスＡ内が換気される。
【００１５】
各パイプユニット１１は他のパイプユニット１１と連結して連結部１２を構成する連結端部が形成されており、連結端部はパイプユニット１１の一端部に形成された突部１３、すなわち長径をパイプ径より小さい楕円形に縮径された突部１３であり、又他端に形成された受け部１４、すなわち前記突部１３に対応した楕円形の受け部１４であり、そして一のパイプユニット１１の受け部１４に隣接する他のパイプユニット１１の突部１３を挿入することにより、両パイプユニット１１は連結されると共に両パイプユニット１１は前記ハンドル３の回転により連動して回転されるようになされている。
【００１６】
又、突部１３の楕円形の根本はテーパー加工されたテーパー部１５が形成され、受け部１４の先端に抗して突部１３をテーバー部１５まで挿入することで強力に連結されるようになされている。尚、突部１３及び受け部１４の形状は必ずしも楕円形である必要はなく、ハンドル２を回転させてフィルム３を巻き上げる時に、連結されたパイプユニット１１が連動して回転し、連結部１２で空回りしにくい形状であればよい。
【００１７】
パイプユニット１１の材質は、アルミニウム、亜鉛めっき鋼板、合金めっき鋼板、ステンレス等の屋外に設置しても腐食しにくい材料が好ましい。
【００１８】
又、耐腐食性を高めるために、本形態においては、パイプユニット１１は被覆材１６により被覆されている。その被覆材１６としては、特に限定されるものではないが、オレフィン系樹脂等の押出成形機等でパイプユニット１１を被覆できる樹脂が好ましい。前記オレフィン系樹脂としてはエチレン、プロピレン、ブテン等のα−オレフィンの重合体を単独で用いてもよく、エチレンにα−オレフィンを共重合させたものなどを用いてもよく、パイプとの密着性向上を目的としてエチレンに酢酸ビニル、メタクリル酸又はそのエステル、アクリル酸又はそのエステルと共重合させたもの、エチレンを無水マレイン酸を共重合させたもの、ポリエチレン末端を無水マレイン酸等で修飾したものを用いてもよい。
【００１９】
パイプユニット１１を被覆材１６で被覆する場合、突部１３側は、受け部１４に挿入される突部１３及びテーパー部１５は被覆しない方がよい。この部位まで被覆すると、突部１３を受け部１４に挿入する際、突部１３を強く押し込んでも単に被覆材１６が変形されるのみで、十分な連結強度が生じず、連結部の緩みや外れの原因になる場合がある。
【００２０】
受け部１４側はその先端より被覆材１６を延設し、その延設部１７が隣接される他方のパイプユニット１１の被覆材１６を覆うようにするのがよい。かようにすれば、隣接される他方のパイプユニット１１における突部１４のパイプ地肌の部位が外から隠され、又雨水が浸入しにくくなるため、パイプユニット１１が金属からなる場合は、その部位の腐食が抑えられる。
【００２１】
更に、パイプユニット１１の連結端部、すなわち突部１３及び受け部１４は、密閉され、突部１３及び受け部１４からパイプユニット１１内へ雨水が浸入するのを防止している。この密閉方法は、特に限定されるものではないが、本形態では、突部１３側については先端からテーパー部１５を越えて楕円形に縮径されていない部位の所定の位置まで密閉材１８で充填し、受け部１４側に対しては挿入された突部１３の先端からなお若干の空間部１９が存するように、突部の長さ以上奥まった位置から楕円形でない部位まで充填されている。かようにすれば、密閉材１８が楕円形でない部位と楕円形の部位との境において生じる抵抗により容易に抜けにくくなる。又、雨水がパイプユニット１１内部に浸入しないため、その自重によるパイプユニット１１の撓みが発生しにくくなり、フィルム３を巻き上げる時に、ハンドル２を回す負荷を抑えることができる。尚、受け部１４に挿入された突部１３の先端からなお若干の空間部１９を存するようにするのは、突部１３の先端が受け部１４内に充填された密閉材１８に当たらないように、若干の余裕を持たすためである。
【００２２】
密閉材１８は充填時又はその後に発泡されせば、密閉材１８の柔軟性が向上し、かつパイプユニット１１内面に強く圧着されるため、パイプユニット１１の内部に雨水がより浸入しにくくなるので好ましい。又、密閉材１８の柔軟性が更に向上するため、連結された突部１３と受け部１４との連結部１２内に雨水が浸入し、該雨水の凍結膨脹が発生した場合でも、発泡による気泡によりその体積膨脹分がより吸収されやすくなり、連結部１２の緩みや外れが更に発生しにくくなる。密閉材１８の発泡手段は、密閉材１８に発泡剤を添加させても良く、ガスを利用したガス発泡でも良いが、密閉剤１８内部への雨水の浸入を防ぐために発泡状態は独立気泡の方がより好ましい。
【００２３】
更には、密閉材１８は氷点下でも弾性を有する材料が望ましい。例えば、ポリウレタンやシリコン樹脂のような、ガラス転移温度がマイナス数十℃であり寒冷条件でも柔軟性を失わない材料を密閉材１８として使用すれば、突部１３と受け部１４との連結部１２内に水分が浸入し、水分の凍結膨脹が発生した場合でも、その体積膨脹分が吸収され、連結部１２の緩みや外れが発生しにくくなる。
【００２４】
受け部１４側に密閉材１８を充填する時は、突部１３の挿入を阻害しない程度に、受け部１４の内壁面に密閉材１８が薄く被着されていてもよい。受け部１４の内壁面に密閉材１８を薄く被着させるには、密閉材１８を端部からスプレー等により塗布してもよいし、端部まで密閉材１８を充填し、次いで突部１３の挿入部分に充填された密閉材１８を除去すると共に除去する際に、内壁面から所定の膜厚分のみ密閉材１８を残すようにして除去してもよい。いずれにしても、受け部１４の内壁面に密閉材１８を薄く被着させることにより、突部１３と受け部１４が密閉材１８を介して強く圧着され、連結部１２の緩みや外れが発生しにくくなるとともに、突部１３を受け部１４に挿入した際に隙間が生じにくくなり、外部から雨水が浸入しにくくなる。
【産業上の利用可能性】
【００２５】
本発明によれば、長期に亘り、パイプユニットの膨れや破損、パイプユニットの連結部の緩みや外れの発生を抑え、更にパイプユニットが連結されて形成されたパイプ本体も撓みにくくなるため、例えば、寒冷地域に設置され、特に側面が長いビニールハウスの被覆されたフィルムの巻き上げ用部材に好適に利用できる。
【図面の簡単な説明】
【００２６】
【図１】本発明フィルム巻き上げパイプの実施の一形態を示す斜視図である。
【図２】パイプユニットの連結形態を示す断面図である。
【図３】パイプユニットの連結部の断面図である。
【図４】パイプユニットの突部の拡大断面図である。
【図５】パイプユニットの窪部の拡大断面図である。
【符号の説明】
【００２７】
１ パイプ本体
１１ パイプユニット
１２ 連結部
１３ 突部
１４ 受け部
１５ テーパー部
１６ 被覆材
１７ 延端部
１８ 密閉材
１９ 空間部
２ ハンドル
３ フィルム
Ａ ビニールハウス
【図１】
0004667972.tif 000002
【図２】
0004667972.tif 000003
【図３】
0004667972.tif 000004
【図４】
0004667972.tif 000005
【図５】
0004667972.tif 000006